(57)【要約】      （修正有）【課題】付加機能を備えた、持ち運び式多機能照明機器を提供する。【解決手段】発光モジュールと、給電モジュールと、警告表示モジュールと、ラジオ受信再生モジュールとが、照明本体１０２の内部に設けられてなる。発光モジュールは、制御回路と電気的に接続されるとともに、照明本体の異なる位置に設けられた複数の発光素子１２，１２１が組み合わされてなる。給電モジュールは、発光モジュールと電気的に接続されるとともに、発光素子に対し、照明に必要な電力を供給する。警告表示モジュールは、制御回路と電気的に接続されるとともに、感知器が設けられる。ラジオ受信再生モジュールは、制御回路と電気的に接続されるとともに、ラジオと、スピーカーとからなる。【選択図】図５
0003184080.tif 000002
【実用新案登録請求の範囲】
【請求項１】
発光モジュールと、給電モジュールと、警告表示モジュールと、ラジオ受信再生モジュールとが、照明本体の内部に設けられてなる持ち運び式多機能照明機器であって、
前記発光モジュールは、照明本体の異なる位置に設けられた少なくとも一つの発光素子を制御回路に電気的に接続してなり、それにより、前記照明本体において、少なくとも一つ以上の照射面が形成され、
前記給電モジュールは、前記発光モジュールと電気的に接続されるとともに、エネルギー貯蓄ユニットが設けられ、
前記エネルギー貯蓄ユニットは、前記発光素子に対し、照明に必要な電力を供給し、
前記警告表示モジュールは、制御回路と電気的に接続されるとともに感知器が設けられ、前記感知器が人の接近を感知した後、前記制御回路の制御によって少なくとも一つの前記発光素子が発光して警告を表示し、
前記ラジオ受信再生モジュールは、前記制御回路と電気的に接続されるとともに、ラジオと、スピーカーとからなり、
前記スピーカーは、前記制御回路の制御によって、前記ラジオが捉えた周波数のラジオ放送を流すことを特徴とする、持ち運び式多機能照明機器。
【請求項２】
前記照明本体は、正六面体を構成するとともに、その前、後、左、右の四つの照射面の内側に、少なくとも、それぞれ一つの前記発光素子が設けられ、
前記照明本体の四つの表面は、透明なランプカバーからなることを特徴とする、請求項１に記載の持ち運び式多機能照明機器。
【請求項３】
前記照明本体の前、後、左、右の四つの照射面における前記発光素子は、前記制御回路の制御によって、一つ、二つ、三つ、四つのいずれかの数の面に向かって照射することを特徴とする、請求項２に記載の持ち運び式多機能照明機器。
【請求項４】
少なくとも一つの前記発光素子の輝度は、前記制御回路によって調整されることを特徴とする、請求項１に記載の持ち運び式多機能照明機器。
【請求項５】
少なくとも一つの前記発光素子の照射範囲は、前記制御回路によって調整されることを特徴とする、請求項１に記載の持ち運び式多機能照明機器。
【請求項６】
前記エネルギー貯蓄ユニットは、手動発電機と電気的に接続されるとともに、前記手動発電機によって手動で充電されることを特徴とする、請求項１に記載の持ち運び式多機能照明機器。
【請求項７】
前記エネルギー貯蓄ユニットは、少なくとも一つの電気接続口と電気的に接続され、
前記電気接続口の外部に接続された外部電源によって充電される、あるいは、前記電気接続口の外部に接続された電子機器に電力を供給することを特徴とする、請求項１に記載の持ち運び式多機能照明機器。
【請求項８】
前記エネルギー貯蓄ユニットは、太陽光パネルと電気的に接続されるとともに、前記太陽光パネルによって充電されることを特徴とする、請求項１に記載の持ち運び式多機能照明機器。
【請求項９】
前記感知器は、熱感知器、あるいは、赤外線感知器のいずれかであることを特徴とする、請求項１に記載の持ち運び式多機能照明機器。
【請求項１０】
前記警告表示モジュールにはさらに、通信機が設けられ、前記制御回路の制御によって、少なくとも一つの前記発光素子が発光して警告を表示することに加えて、通報することを特徴とする、請求項１に記載の持ち運び式多機能照明機器。
【請求項１１】
前記ラジオは、ＡＭ放送及びＦＭ放送の周波数を捉えることを特徴とする、請求項１に記載の持ち運び式多機能照明機器。
【考案の詳細な説明】
【技術分野】
【０００１】
本考案は、照明機器に関し、特に、単一あるいは多方向への照射、輝度及び照射範囲の調整、給電、警告表示、ラジオの受信再生といった付加機能を備えた、持ち運び式多機能照明機器に関する。
【背景技術】
【０００２】
従来の照明機器は、インテリアの照明器具であっても、携帯用の懐中電灯であっても、その大部分は照明としての機能しか備えていないことに加えて、照射面が一つだけであるため、一般的には単純な照明の用途にしか使うことができない。従って、従来の照明装置は、例えば、夜間使用時の警告表示機能、環境に応じた光の明暗及び照射範囲の調整、照明機器本体を動かさずにその照射方向を変える、といった使用者のそのほかの需要に応えることができない。
【考案の概要】
【考案が解決しようとする課題】
【０００３】
そこで、本考案は、付加機能を備えることによって、使用者の多様な需要に応えることができる、持ち運び式多機能照明機器を提供することを目的とする。
【課題を解決するための手段】
【０００４】
本考案の持ち運び式多機能照明機器は、照明本体の内部に設けられた発光モジュールと、給電モジュールと、警告表示モジュールと、ラジオ受信再生モジュールとからなる。前記発光モジュールは、照明本体の異なる位置に設けられた複数の発光素子を制御回路に電気的に接続してなる。これにより、前記照明本体において、少なくとも一つ以上の照射面が形成される。前記給電モジュールは、前記発光モジュールと電気的に接続されるとともに、エネルギー貯蓄ユニットが設けられる。前記エネルギー貯蓄ユニットは、前記発光素子に対し、照明に必要な電力を供給する。前記警告表示モジュールは、制御回路と電気的に接続されるとともに、感知器が設けられ、前記感知器が人の接近を感知した後、前記制御回路の制御によって複数の前記発光素子が発光して警告を表示する。前記ラジオ受信再生モジュールは、前記制御回路と電気的に接続されるとともに、ラジオと、スピーカーとからなる。前記スピーカーは、前記制御回路の制御によって、前記ラジオが捉えた周波数のラジオ放送を流す。
【図面の簡単な説明】
【０００５】
【図１】本考案のブロック図である。
【図２】本考案の外観の概略図１である。
【図３】本考案の外観の概略図２である。
【図４】本考案の外観の概略図３である。
【図５】本考案の外観の概略図４である。
【図６】本考案の内部装置を示した図である。
【図７】本考案の使用例を示した図である。
【考案を実施するための形態】
【０００６】
図１〜図７を参照する。図１は、本考案のブロック図である。図２は、本考案の外観の概略図１である。図３は、本考案の外観の概略図２である。図４は、本考案の外観の概略図３である。図５は、本考案の外観の概略図４である。図６は、本考案の内部装置を示した図である。図７は、本考案の使用例を示した図である。
【０００７】
図に示したように、本考案の持ち運び式多機能照明機器１００は、発光モジュール１と、給電モジュール２と、警告表示モジュール３と、ラジオ受信再生モジュール４とが、照明本体１０２の内部に設けられてなる。発光モジュール１は、照明本体１０２の異なる位置に設けられた複数の発光素子１２を制御回路１１に電気的に接続してなる。これにより、照明本体１０２において、少なくとも一つ以上の照射面が形成される。実施例において、照明本体１０２は、正六面体を構成するとともに、使用者が携帯しやすいように持ち手１０１が設けられる。また、前、後、左、右の四つの照射面の内側には、少なくとも、それぞれ複数の発光素子１２が設けられる。照明本体１０２の四つの表面は、透明なランプカバーからなる。以上の構造により、照明本体１０２の前、後、左、右の四つの照射面における発光素子１２は、制御回路１１の制御によって、一つ、二つ、三つ、四つのいずれかの数の面に向かって照射する。また、複数の発光素子１２の輝度、及び発光素子１２１の照射範囲は、制御回路１１によって調整される。
【０００８】
図に示したように、本考案の持ち運び式多機能照明機器１００における給電モジュール２は、発光モジュール１と電気的に接続されるとともに、エネルギー貯蓄ユニット２１が設けられる。エネルギー貯蓄ユニット２１は、発光素子１２に対し、照明に必要な電力を供給する。エネルギー貯蓄ユニット２１は、エネルギー貯蓄ユニット２１を手動で充電することができる手動発電機２２と電気的に接続される。エネルギー貯蓄ユニット２１は、さらに、３つの電気接続口、すなわち、ＵＳＢ電気出力接続口２３２と、ＵＳＢ電気出力接続口２３３と、小型ＵＳＢ電気入力接続口２３０と電気的に接続される。これにより、外部に接続された外部電源がエネルギー貯蓄ユニット２１を充電する、あるいは、外部に接続された電子機器２３１（例えば、携帯電話）に電力を供給することができる。このほか、エネルギー貯蓄ユニット２１は、さらに、エネルギー貯蓄ユニット２１を充電することができる太陽光パネル２４と電気的に接続される。
【０００９】
図に示したように、本考案の持ち運び式多機能照明機器１００における警告表示モジュール３は、制御回路１１と電気的に接続されるとともに、感知器が設けられ、前記感知器が人の接近を感知した後、制御回路１１の制御によって複数の発光素子１２が発光して警告を表示する。前記感知器は、熱感知器、あるいは、赤外線感知器のいずれかで一つである（例えば、図に示した赤外線人体感知センサー３２など）。また、機能選択ボタン３１は、機能切り換えに用いられる。機能選択ボタン３１が左側にある時は、警報音が鳴ると同時にＬＥＤが点滅する。機能選択ボタン３１が中央にある時は、閉止状態になる。機能選択ボタン３１が右側にある時は、ＬＥＤが点灯する。このほか、警告表示モジュール３にはさらに、通信機３３が設けられる。通信機３３は、制御回路１１の制御によって、複数の発光素子１２が発光して警告を表示することに加えて、通報することができる。
【００１０】
図に示したように、本考案の持ち運び式多機能照明機器１００におけるラジオ受信再生モジュール４は、制御回路１１と電気的に接続されるとともに、ラジオ４１と、スピーカー４２とからなる。スピーカー４２は、制御回路１１の制御によって、ラジオ４１が捉えた周波数の放送を流す。ラジオ４１は、ＡＭ放送及びＦＭ放送の周波数を捉えることができる。
【００１１】
以上の構造により、本考案の持ち運び式多機能照明機器１００は、制御回路１１の制御によって単一あるいは多方向への照射ができる。加えて、制御回路１１はさらに、照明本体１０２の表面に設けられた複数の制御ボタンと電気的に接続されるので、使用者が操作をしやすくなる。例えば、エネルギー貯蓄ユニット容量表示ボタン５によって、エネルギー貯蓄ユニット２１の電力残量表示の開閉を操作することができる。その際、四つのエネルギー貯蓄ユニット容量表示ランプ５０によって、それぞれ２５％、５０％、７５％、１００％のいずれか一つの電力残量が表示される。また、例えば、ＬＥＤ照明スイッチ６と、ＬＥＤ照明照射方向選択ボタン６０と、ＬＥＤ照明輝度選択ボタン６１によって、それぞれ開閉と、照射範囲と、輝度の調整ができる。また、例えば、ラジオスイッチ７と、周波数選択ボタン７０と、ＡＭ指示ランプ７１と、ＦＭ指示ランプ７２と、ＡＭ／ＦＭ切り換えボタン７３と、ラジオ音量調整ボタン７４とによって、ラジオ４１の機能及び周波数の調整・選択と、スピーカー４２の音量調整ができる。また、例えば、緊急警報音ボタン８によって、スピーカー４２の警告音の開閉を操作できる。
【符号の説明】
【００１２】
１００ 持ち運び式多機能照明機器
１０１ 持ち手
１０２ 照明本体
１            発光モジュール
１１   制御回路
１２   発光素子
１２１ 発光素子
２            給電モジュール
２１   エネルギー貯蓄ユニット
２２   手動発電機
２３０ 小型ＵＳＢ電気入力接続口
２３１ 電子機器
２３２ ＵＳＢ電気出力接続口
２３３ ＵＳＢ電気出力接続口
２４   太陽光パネル
３            警告表示モジュール
３１   機能選択ボタン
３２   赤外線人体感知センサー
３３   通信機
４            ラジオ受信再生モジュール
４１   ラジオ
４２   スピーカー
５            エネルギー貯蓄ユニット容量表示ボタン
５０   エネルギー貯蓄ユニット容量表示ランプ
６            ＬＥＤ照明スイッチ
６０   ＬＥＤ照明照射方向選択ボタン
６１   ＬＥＤ照明輝度選択ボタン
７            ラジオスイッチ
７０   周波数選択ボタン
７１   ＡＭ指示ランプ
７２   ＦＭ指示ランプ
７３   ＡＭ／ＦＭ切り換えボタン
７４   ラジオ音量調整ボタン
８            緊急警報音ボタン
【図１】
0003184080.tif 000003
【図２】
0003184080.tif 000004
【図３】
0003184080.tif 000005
【図４】
0003184080.tif 000006
【図５】
0003184080.tif 000007
【図６】
0003184080.tif 000008
【図７】
0003184080.tif 000009